(57)【要約】【課題】旧来の門戸構造を現代の住宅様式に合うようにアレンジすることで、従来にはない新たな住宅空間を提供する。【解決手段】玄関扉３０を設けた玄関開口部１０ｃから離れた位置に目隠しとなる壁体Ａを設けた建物構造体であって、前記壁体Ａは、固定パネル１０ａと、引戸１１と、門周り機能部２０と、を備えている。すなわち、建物構造体に２重のエントランスが設けられた構造となっている。【選択図】図３
2014125842.tif 000002
【特許請求の範囲】
【請求項１】
玄関扉を設けた玄関開口部から離れた位置に目隠しとなる壁体を設けた建物構造体であって、
前記壁体は、固定パネルと、引戸と、門周り機能部と、を備えて構成されることを特徴とする、建物構造体。
【請求項２】
前記壁体の側部から前記玄関開口部の側部に向けて側壁を設けたことを特徴とする、請求項１記載の建物構造体。
【請求項３】
前記固定パネルを、前記引戸よりも玄関開口部寄りに配置したことを特徴とする、請求項１又は２記載の建物構造体。
【発明の詳細な説明】
【技術分野】
【０００１】
この発明は、旧来の門戸構造を取り込んで現代的な住宅様式に合うようにアレンジし、今までにないエントランス構造を備えるようにした建物構造体に関するものである。
【背景技術】
【０００２】
従来、門戸は日本古来の門構え、住宅の顔として存在してきた（例えば特許文献１）。
【先行技術文献】
【特許文献】
【０００３】
【特許文献１】特開２００８−１８４８３０号公報
【発明の概要】
【発明が解決しようとする課題】
【０００４】
しかし、現在のモダンな住宅様式においては、日本古来の門戸構造は意匠的に合わせにくく、高価でもある。また、住宅の必需品とされるポストやインターホンの設置が困難であり、これらの装置は門戸に併設する袖壁などに設置されるケースが多く、施工性が悪い。また、日本古来の門戸構造は高尺な門構えになりやすく、面積の小さい住宅に設置した場合には圧迫感を与えやすいという問題もあった。
【０００５】
本発明は、上記したような旧来の門戸構造を現代の住宅様式に合うようにアレンジすることで、従来にはない新たな住宅空間を提供することを課題とする。
【課題を解決するための手段】
【０００６】
本発明は、上記した課題を解決するためになされたものであり、以下を特徴とする。
【０００７】
（請求項１）
請求項１に記載の建物構造体は、玄関扉を設けた玄関開口部から離れた位置に目隠しとなる壁体を設けた建物構造体であって、前記壁体は、固定パネルと、引戸と、門周り機能部と、を備えて構成されることを特徴とする。
【０００８】
（請求項２）
請求項２に記載の発明は、上記した請求項１記載の発明の特徴点に加え、以下の点を特徴とする。
【０００９】
すなわち、前記壁体の側部から前記玄関開口部の側部に向けて側壁を設けたことを特徴とする。
【００１０】
（請求項３）
請求項３に記載の発明は、上記した請求項１又は２記載の発明の特徴点に加え、以下の点を特徴とする。
【００１１】
すなわち、前記固定パネルを、前記引戸よりも玄関開口部寄りに配置したことを特徴とする。
【発明の効果】
【００１２】
請求項１に記載の発明は上記の通りであり、玄関扉を設けた玄関開口部から離れた位置に目隠しとなる壁体を設けた建物構造体であって、前記壁体は、固定パネルと、引戸と、門周り機能部と、を備えて構成される。すなわち、建物構造体に２重のエントランスが設けられた構造となっている。このため、外側のエントランス（引戸を設けた壁体）を設けることにより住宅の顔として相応しい外観を提供するとともに、現在の住宅様式に合ったシンプルで機能的なエントランスを構築することができる。
【００１３】
また、前記壁体が郵便受けなどを備えた門周り機能部を有するので、門構えに必要な機能を集約することができ、シンプルな構造で施工性を向上させることができる。
【００１４】
また、引戸を設けた壁体と玄関開口部との間に半屋外空間を形成することも可能であるため、この半屋外空間を利用して屋外使用品の収納などに当てることもできる。このようにすれば、建物内を通って郵便受けに到達することができるので、雨に濡れたり服装に気を遣ったりといった煩わしさを感じることなく、快適に郵便受けにアプローチすることができる。よって、従来にはない新たな住宅空間を提供することができる。
【００１５】
また、請求項２に記載の発明は上記の通りであり、前記壁体の側部から前記玄関開口部の側部に向けて側壁を設けたので、壁体による目隠しの効果を向上させることができる。
【００１６】
また、請求項３に記載の発明は上記の通りであり、前記固定パネルを、前記引戸よりも玄関開口部寄りに配置したので、例えば建物の外壁を固定パネルとすることも可能であり、必要最低限の部材構成で容易かつ安価に施工することができる。
【図面の簡単な説明】
【００１７】
【図１】本発明の実施形態に係る建物構造体の外観図である。
【図２】引戸付近の拡大図である。
【図３】建物の内部を説明する図である。
【図４】別の実施形態に係る壁体の外観図である。
【発明を実施するための形態】
【００１８】
本発明の実施形態について、図を参照しながら説明する。
【００１９】
本実施形態に係る建物１０は、図１〜３に示すように、外壁１０ａに開口部１０ｂを設け、この開口部１０ｂを覆うように引戸１１を設けたものである。引戸１１は外壁１０ａの一部を戸袋として使用してアウトセットで取り付けられており、言い換えると、外壁１０ａが引戸１１よりも玄関開口部１０ｃ（後述）寄りに配置されている。
【００２０】
引戸１１を設けた開口部１０ｂの上方には、図３に示すように、桁１２が設けられており、この桁１２によって引戸１１が吊支持されている。すなわち、桁１２は、引戸１１を案内する上レール（図示せず）を有しており、引戸１１はこの上レールに案内されて摺動するように形成されている。
【００２１】
なお、桁１２が取り付けられる外壁１０ａの表面は、引戸１１を摺動させたときに引戸１１の内面と対向する部分を含めてフラットに形成されている。このため、引戸１１を引き操作すると、引戸１１と外壁１０ａとの間にほとんど隙間がない状態で引戸１１が建物１０の外壁１０ａの表面に沿って摺動するようになっている。
【００２２】
また、引戸１１の戸当り側には、戸当り柱１３と端部柱１４とが略垂直に立設されている。この戸当り柱１３と端部柱１４とは間隔を設けて配置されており、その間にガラスパネル１５とファンクションパネル２０とが配設されている。これにより、引戸１１の戸当り側に光透過性を有する壁が形成されている。なお、ガラスパネル１５は、目隠しの機能を果たすために表面加工などが施され、不透明となっている。
【００２３】
ガラスパネル１５は、ファンクションパネル２０の上下に２枚配設されている。本実施形態においては、ガラスパネル１５はすりガラスで形成されており、内側の目隠しができるとともに、内側に適度な採光が可能となっている。
【００２４】
ファンクションパネル２０は、図２に示すように、表札２１やドアホン子機２４、郵便受け２２などを備えて門周り機能部を構成している。郵便受け２２は、投入口２２ａが正面に開口しており、投入口２２ａから投入された郵便物を裏側から取り出せるようになっている。また、このファンクションパネル２０には引戸１１に鍵をかけるための鍵孔２３が設けられている。特に図示しないが、この鍵孔２３に鍵を差し込んで施錠すると、ファンクションパネル２０に内蔵された錠掛け部材が引戸１１の方向に突出し、引戸１１の錠受け部材に係合するようになっている。このように、引戸１１の枠に錠や鍵孔を設ける必要がない構造となっているため、引戸１１をシンプルな構造とすることができる。
【００２５】
引戸１１が設けられた開口部１０ｂの内側には、図３に示すように、玄関扉３０を取り付けた玄関開口部１０ｃが設けられている。このように、開口部１０ｂの内側に玄関開口部１０ｃを設けることで、玄関開口部１０ｃから離れた位置に目隠しとなる壁体Ａが設けられた構造となっている。そして、引戸１１を設けた開口部１０ｂによって第１のエントランスを形成し、玄関扉３０を設けた玄関開口部１０ｃによって第２のエントランスを形成するようになっている。
【００２６】
また、開口部１０ｂと玄関開口部１０ｃとで仕切られることで、屋外空間Ｓ１と屋内空間Ｓ３との間に半屋外空間Ｓ２が形成されている。このため、この半屋外空間Ｓ２に屋外使用品（例えばベビーカーなど）を収納することができるように形成されている。
【００２７】
なお、特に図示しないが、開口部１０ｂの内側は建物１０の内部であるため、半屋外空間Ｓ２は側壁を有しており、すなわち、壁体Ａの側部（開口部１０ｂの側部）から玄関開口部１０ｃの側部に向けて側壁が設けられている。
【００２８】
なお、半屋外空間Ｓ２は、屋内空間Ｓ３の床面３１よりも一段低く形成されており、屋外空間Ｓ１や、玄関扉３０の内側に設けられた三和土Ｅと略同じ高さで形成されている。このように半屋外空間Ｓ２は靴を履いたままで行き来する空間となっている。そして、室内に入るときには、玄関開口部１０ｃを通過して三和土Ｅで靴を脱ぐようになっている。
【００２９】
また、本実施形態の引戸１１は上レールのみで吊支持されており、下面はノンレールでフラットに形成されている。このため、屋外空間Ｓ１と半屋外空間Ｓ２との間に段差が存在しないので、半屋外空間Ｓ２に入り込んだ土埃などを掃き出しやすくなっており、掃除なども容易に行えるようになっている。
【００３０】
また、本実施形態の引戸１１は板張りの戸を使用して構成されているが、これに限らず、例えば格子状の戸などを使用してもよい。格子状の戸を使用すれば、屋外空間Ｓ１から半屋外空間Ｓ２への自由な通風を可能とすることができる。このように、どのようなタイプの引戸１１を使用するかは、半屋外空間Ｓ２の使用目的などを考慮して適宜設定することができる。
【００３１】
以上説明したように、本実施形態によれば、建物１０の外壁１０ａに開口部１０ｂを設け、前記開口部１０ｂに引戸１１を設けるとともに、前記開口部１０ｂの内側に玄関開口部１０ｃを設けた。すなわち、建物１０に２重のエントランスを設けた構造としたので、外側のエントランス（引戸１１を設けた開口部１０ｂ）を設けることにより住宅の顔として相応しい外観を提供するとともに、現在の住宅様式に合ったシンプルで機能的なエントランスを構築することができる。
【００３２】
また、引戸１１を設けた開口部１０ｂと玄関開口部１０ｃとの間に半屋外空間Ｓ２が形成される構造であるため、この半屋外空間Ｓ２を利用して屋外使用品の収納などに当てることもでき、従来にはない新たな住宅空間を提供することができる。
【００３３】
また、前記引戸１１を案内する上レールを有する桁１２を設け、前記桁１２を前記建物１０の外壁１０ａの表面に固定し、前記引戸１１を前記外壁１０ａの表面に沿って摺動させるようにしたので、桁１２を建物１０の外壁１０ａで支持しており、必要最低限の部材構成で上記したような２重のエントランス構造を構成することができる。すなわち、容易かつ安価に施工することができる。
【００３４】
また、前記引戸１１の戸当り付近に表札２１及び郵便受け２２を備えたファンクションパネル２０を設けたので、門構えに必要な機能がファンクションパネル２０に集約されており、シンプルな構造で施工性を向上させることができる。
【００３５】
また、建物１０内を通って郵便受け２２に到達することができるので、雨に濡れたり服装に気を遣ったりといった煩わしさを感じることなく、快適に郵便受け２２にアプローチすることができる。
【００３６】
また、前記ファンクションパネル２０には前記引戸１１に鍵をかけるための鍵孔２３が設けられているので、通常の引戸１１のように引戸１１に錠や鍵孔を設ける必要がなく、引戸１１の枠の幅を狭くすることができる。このため、シンプルですっきりとした現代的な意匠の引戸１１を提供することができる。
【００３７】
なお、上記した実施形態では、建物１０の外壁１０ａを利用して壁体Ａを設けたが、これに限らず、例えば図４に示すように、建物１０の正面に壁体Ａを独立して設けてもよい。このとき、引戸１１よりも建物１０側に奥まって位置させたパネル壁３２によって戸袋を構成してもよい。また、パネル壁３２はガラスを使用して形成してもよく、このパネル壁３２のガラスを不透明としてもよい。また、壁体Ａの側部から建物１０に向けて側壁を設けてもよい。
【符号の説明】
【００３８】
１０  建物
１０ａ  外壁（固定パネル）
１０ｂ  開口部
１０ｃ  玄関開口部
１１  引戸
１２  桁
１３  戸当り柱
１４  端部柱
１５  ガラスパネル
２０  ファンクションパネル（門周り機能部）
２１  表札
２２  郵便受け
２２ａ  投入口
２３  鍵孔
２４  ドアホン子機
３０  玄関扉
３１  床面
３２  パネル壁（固定パネル）
Ａ  壁体
Ｓ１  屋外空間
Ｓ２  半屋外空間
Ｓ３  屋内空間
Ｅ  三和土
【図１】
2014125842.tif 000003
【図２】
2014125842.tif 000004
【図３】
2014125842.tif 000005
【図４】
2014125842.tif 000006